(57)【要約】【課題】本発明は、輪状絶縁キャップの突出周壁の各周壁片に形成した突起部を磁極の耳部に当接して、輪状絶縁キャップを輪状ステータに強固に装着することを目的とする。【解決手段】本発明によるレゾルバステータ構造は、輪状ステータ(1)のスロット(3)に装着する各輪状絶縁キャップ(4、5)の突出周壁(6)の各第１、第２周壁片(7、8)に設けた各突起部(22、23)を磁極(2)の各耳部(11、12)に当接させることにより、各輪状絶縁キャップ(4、5)を輪状ステータ(1)に強固に取付けた構成である。【選択図】図４
2005224082.tif 000002
【特許請求の範囲】
【請求項１】
全体形状が輪状をなし、内方へ向けて突出すると共に両端に第１、第２耳部(11、12)を有する複数の磁極(2)を所定角度間隔で有する輪状ステータ(1)と、前記各磁極(2)間に形成されたスロット(3)と、前記輪状ステータ(1)の両端面(1a、1b)に設けられ前記スロット(3)の周壁(3a)に係合するＣ字型の突出周壁(6)を有する第１、第２輪状絶縁キャップ(4、5)と、前記突出周壁(6)の両端に形成され前記耳部(11、12)と係合する第１、第２段部(9、10)と、前記第１、第２段部(9、10)に形成された第１、第２周壁片(7、8)と、前記第１、第２周壁片(7、8)に形成され内方向に向けて突出する第１、第２突起部(22、23)とを備え、前記第１、第２突起部(22、23)が前記各磁極(2)の前記第１、第２耳部(11、12)の裏面に当接していることを特徴とするレゾルバステータ構造。
【請求項２】
前記第１、第２突起部(22、23)は、前記第１、第２周壁片(7、8)の第１、第２曲折部(20、21)の近傍位置に設けられていることを特徴とする請求項１記載のレゾルバステータ構造。
【発明の詳細な説明】
【技術分野】
【０００１】
本発明は、レゾルバステータ構造に関し、特に、輪状絶縁キャップの各突出周壁の先端側の各周壁片に設けた各突起部を、輪状ステータの磁極の各耳部の裏面に当接させることにより、輪状ステータに装着した時の輪状絶縁キャップの浮きを防止するための新規な改良に関する。
【背景技術】
【０００２】
従来、用いられていたこの種のレゾルバステータ構造としては、例えば、特許文献１に開示された構成を挙げることができる。
すなわち、図９から図１１で示されるように、符号１で示されるものは積層型等の輪状ステータであり、この輪状ステータ１の内側には、内方へ向けて突出する複数の磁極２とスロット３が交互に所定角度間隔で形成されている。
【０００３】
前記輪状ステータ１の両端面には、第１、第２輪状絶縁キャップ４、５が装着され、各輪状絶縁キャップ４、５に所定角度間隔で形成されたＣ字型の突出周壁６が前記各スロット３に嵌合され、この突出周壁６の両端に形成された第１、第２周壁片７、８に形成された第１、第２段部９、１０が前記磁極２の先端の両側に形成された一対の第１、第２耳部１１、１２に係合している。
【０００４】
前記各輪状絶縁キャップ３、４の各周壁片７、８が輪状ステータ１の両端面に装着されることにより、各磁極２の両端面は各絶縁キャップ３、４で覆われ、前記各周壁片７、８は各磁極２の第１、第２耳部１１、１２に面接合している。
また、前記各突出周壁６の後部６ａは前記各スロット３の後壁３ａに面接合している。
尚、図示していないが、前述の各輪状絶縁キャップ４、５を輪状ステータ１に装着した後に、各磁極２にステータ巻線が巻付けられている。
【発明の開示】
【発明が解決しようとする課題】
【０００５】
従来のレゾルバステータ構造における輪状絶縁キャップは、以上のように構成されていたため、次のような課題が存在していた。
すなわち、輪状ステータの両端面に各輪状絶縁キャップを装着すると、各スロット内に突出周壁が嵌合し、各周壁片の段部に磁極の各耳部が係合するが、これらの嵌合と係合は、クリアランスが小さいと入りにくいため、多少大きい状態に設定されている。
そのため、輪状絶縁キャップと輪状ステータとの間に浮きが発生し、それによって形成されたわずかな隙間又は段差等に、巻線時のステータコイルが引っ掛かりを起こすことがあり、巻線作業の障害、又は、巻線後の品質障害となることがあった。
【課題を解決するための手段】
【０００６】
本発明によるレゾルバステータ構造は、全体形状が輪状をなし、内方へ向けて突出すると共に両端に第１、第２耳部を有する複数の磁極を所定角度間隔で有する輪状ステータと、前記各磁極間に形成されたスロットと、前記輪状ステータの両端面に設けられ前記スロットの周壁に係合するＣ字型の突出周壁を有する第１、第２輪状絶縁キャップと、前記突出周壁の両端に形成され前記耳部と係合する第１、第２段部と、前記第１、第２段部に形成された第１、第２周壁片と、前記第１、第２周壁片に形成され内方向に向けて突出する第１、第２突起部とを備え、前記第１、第２突起部が前記各磁極の前記第１、第２耳部の裏面に当接している構成であり、また、前記第１、第２突起部は、前記第１、第２周壁片
の第１、第２曲折部の近傍位置に設けられている構成である。
【発明の効果】
【０００７】
本発明によるレゾルバステータ構造は、以上のように構成されているため、次のような効果を得ることができる。
すなわち、輪状絶縁キャップの突出周壁６の各周壁片の内面に形成した内方に向けて突出する突起部が磁極の耳部と当接するため、突出周壁が反作用で外側へ押され、結果的にスロット内における突出周壁が強固に位置決めされ、輪状ステータと輪状絶縁キャップとの浮きが防止されて磁極へのステータコイルの巻付けが円滑に行われる。
また、前述の輪状絶縁キャップの浮きがないため、輪状ステータと輪状絶縁キャップとの間の段差がなく、円滑なステータコイルの巻付けを行うことができる。
【発明を実施するための最良の形態】
【０００８】
本発明は、輪状絶縁キャップの突出周壁の各周壁片に形成された各突起部を磁極の各耳部に当接させることにより、スロットに対する輪状絶縁キャップが強固に係合し、浮きを防止することを目的とする。
【実施例】
【０００９】
以下、図面と共に本発明によるレゾルバステータ構造の好適な実施の形態について説明する。
尚、従来例と同一又は同等部分には、同一符号を付して説明する。
図１から図８において、符号１で示されるものは積層型等の輪状ステータであり、この輪状ステータ１の内側には、内方へ向けて突出する複数の磁極２とスロット３が交互に所定角度間隔で形成されている。
【００１０】
前記輪状ステータ１の両端面には、第１、第２輪状絶縁キャップ４、５が装着され、各輪状絶縁キャップ４、５に所定角度間隔で形成されたＣ字型の突出周壁６が前記各スロット３に嵌合され、この突出周壁６の両端に形成された第１、第２周壁片７、８に形成された第１、第２段部９、１０が前記磁極２の先端の両側に形成された一対の第１、第２耳部１１、１２に係合している。
【００１１】
前記各周壁片７、８の各曲折部２０、２１の近傍位置には、内方へ向けて突出する第１、第２突起部２２、２３が形成され、各突起部２２、２３は図４で示されるように前記各耳部１１、１２の外面すなわち裏面に当接するように構成されている。
【００１２】
前記各突起部２２、２３が前記各耳部１１、１２の外面すなわち裏面に当接しててることにより、前記突出周壁６は外側へ付勢され、突出周壁６の後部６ａが前記スロット３の周壁３ａに強く押し付けられることにより、各輪状絶縁キャップ４、５が輪状ステータ１に対して、従来の浮き等を伴うことなく、強固に係合される。
【産業上の利用可能性】
【００１３】
本発明は、レゾルバに限ることなく、モータ等へも適用できる。
【図面の簡単な説明】
【００１４】
【図１】本発明によるレゾルバステータ構造を示す平面構成図である。
【図２】図１の輪状ステータの要部を示す平面図である。
【図３】図１の正面図である。
【図４】図１の要部を示す拡大平面図である。
【図５】図４の要部の正面図である。
【図６】図４の正面図である。
【図７】図６の平面図である。
【図８】図６の斜視図である。
【図９】従来構成の平面図である。
【図１０】図９の要部の拡大平面図である。
【図１１】図１０の正面図である。
【符号の説明】
【００１５】
１    輪状ステータ
１ａ、１ｂ    第１、第２端面
２    磁極
３    スロット
４、５    第１、第２輪状絶縁キャップ
６    突出周壁
６ａ    後部
７、８    第１、第２周壁片
９、１０    第１、第２段部
１１、１２    第１、第２耳部
２０、２１    第１、第２曲折部
２２、２３    第１、第２突起部
【図１】
2005224082.tif 000003
【図２】
2005224082.tif 000004
【図３】
2005224082.tif 000005
【図４】
2005224082.tif 000006
【図５】
2005224082.tif 000007
【図６】
2005224082.tif 000008
【図７】
2005224082.tif 000009
【図８】
2005224082.tif 000010
【図９】
2005224082.tif 000011
【図１０】
2005224082.tif 000012
【図１１】
2005224082.tif 000013